(57)【要約】【課題】浴室ＢＲの浴槽上方の天井部ＢＲｃに設置される浴室暖房乾燥機であって、浴室の洗い場側を横方向一方、浴槽側を横方向他方、横方向に直交する水平方向を前後方向として、機体２の下面を覆う下面カバー３の一個所に設けられた吹出し口５からの送風方向を横方向に変化させる可変ルーバ１０を備えるものにおいて、乾燥運転時の横方向他方側の壁や天井部の乾燥不足を防止できるようにする。【解決手段】可変ルーバ１０の前後方向に長手のルーバ板１１を、前後方向の軸線回りに傾動自在に、且つ、上下動自在に支持する。乾燥運転時に、ルーバ板１１を、その板幅方向を横方向に沿わせた状態で、吹出し口５の下方に突出する下降位置に下動させ、温風を下面カバー３に沿って横方向他方に向う方向に送風する。【選択図】図２
2011027310.tif 000002
【特許請求の範囲】
【請求項１】
浴室の浴槽上方の天井部に設置される浴室暖房乾燥機であって、浴室の洗い場側を横方向一方、浴槽側を横方向他方、横方向に直交する水平方向を前後方向として、機体の下面を覆う下面カバーの一個所に前後方向に長手の吹出し口が設けられ、吹出し口からの送風方向を横方向に変化させる可変ルーバを備えるものにおいて、
下面カバーに沿って横方向他方に向かう方向を所定方向として、可変ルーバは、所定方向にも送風可能な構造に構成され、浴室の乾燥運転時の送風モードとして所定方向に送風するモードを備えることを特徴とする浴室暖房乾燥機。
【請求項２】
前記可変ルーバは、前後方向に長手のルーバ板を有し、ルーバ板は、前後方向の軸線回りに傾動自在に、且つ、所定の上昇位置と下降位置とに上下動自在に支持され、上昇位置は、ルーバ板の板幅方向を横方向に沿わせた状態でルーバ板が前記吹出し口内に収まる高さに設定され、下降位置は、ルーバ板の板幅方向を横方向に沿わせた状態でルーバ板が吹出し口の下方に突出する高さに設定されることを特徴とする請求項１記載の浴室暖房乾燥機。
【請求項３】
前記ルーバ板は、該ルーバ板に立設した支持板部において、傾動及び上下動自在に支持されることを特徴とする請求項２記載の浴室暖房乾燥機。
【請求項４】
前記可変ルーバは、前記吹出し口の横方向中央部に位置する前後方向の軸線を支点にして吹出し口の横方向一方の半部を閉塞する閉塞位置から下方に傾動自在な第１ルーバ板と、吹出し口の横方向中央部に位置する前後方向の軸線を支点にして吹出し口の横方向他方の半部を閉塞する閉塞位置から下方に傾動自在な第２ルーバ板とで構成されることを特徴とする請求項１記載の浴室暖房乾燥機。
【発明の詳細な説明】
【技術分野】
【０００１】
本発明は、浴室の浴槽上方の天井部に設置される浴室暖房乾燥機に関する。
【背景技術】
【０００２】
従来、この種の浴室暖房乾燥機は、浴室の洗い場側を横方向一方、浴槽側を横方向他方、横方向に直交する水平方向を前後方向として、機体の下面を覆う下面カバーの一個所に前後方向に長手の吹出し口が設けられ、吹出し口からの送風方向を横方向に変化させる可変ルーバを備えている（例えば、特許文献１参照）。
【０００３】
このものにおいて、可変ルーバは、該ルーバの横方向他方寄りの部分に位置する前後方向の軸線を支点して、吹出し口を閉塞する位置から下方に傾動自在に支持されており、送風方向を横方向一方に向う斜め下向きの方向と真下方向との間で変向できるようにしている。尚、送風方向を真下方向から横方向他方を向く方向に変向することは、可変ルーバが吹出し口の横方向他方の側縁に干渉してしまうため、無理である。
【０００４】
ここで、浴室の乾燥運転時には、送風方向を変向可能な範囲で最大限変化させて、浴室の広範囲に温風を送風することが望まれるが、上記従来例では、送風方向を横方向他方を向く方向に変向することはできないため、浴室の横方向他方側の壁や天井部には温風が十分に届かず、この部分の乾燥が不足してカビが発生することがある。
【０００５】
また、従来、下面カバーの四方に吹出し口を設けて、各吹出し口に可変ルーバを装着した浴室暖房乾燥機も知られている（例えば、特許文献２参照）。これによれば、浴室の乾燥運転時に、横方向他方を向く方向にも温風を送風して、浴室の横方向他方側の壁や天井部の乾燥不足を回避できる。然し、このものでは、機体内に複数の吹出し口に連なる複数の通風路を設ける必要があって、浴室暖房乾燥機全体が大型化する不具合がある。
【先行技術文献】
【特許文献】
【０００６】
【特許文献１】特開２００１−２５４９６７号公報
【特許文献２】特許第３７６４２２０号公報
【発明の概要】
【発明が解決しようとする課題】
【０００７】
本発明は、以上の点に鑑み、下面カバーの複数個所に吹出し口を設けずに、乾燥運転時の横方向他方側（浴槽側）の壁や天井部の乾燥不足を防止できるようにした浴室暖房乾燥機を提供することをその課題としている。
【課題を解決するための手段】
【０００８】
上記課題を解決するために、本発明は、浴室の浴槽上方の天井部に設置される浴室暖房乾燥機であって、浴室の洗い場側を横方向一方、浴槽側を横方向他方、横方向に直交する水平方向を前後方向として、機体の下面を覆う下面カバーの一個所に前後方向に長手の吹出し口が設けられ、吹出し口からの送風方向を横方向に変化させる可変ルーバを備えるものにおいて、下面カバーに沿って横方向他方に向かう方向を所定方向として、可変ルーバは、所定方向にも送風可能な構造に構成され、浴室の乾燥運転時の送風モードとして所定方向に送風するモードを備えることを特徴とする。
【０００９】
本発明によれば、下面カバーの複数個所に吹出し口を設けなくても、乾燥運転時に上記所定方向に温風を送風して、横方向他方側、即ち、浴槽側の壁や天井部に温風を十分に届けることができる。従って、浴槽側の壁や天井部を十分に乾燥させて、この部分にカビが発生することを防止できる。
【００１０】
本発明において、可変ルーバは、前後方向に長手のルーバ板を有し、ルーバ板は、前後方向の軸線回りに傾動自在に、且つ、所定の上昇位置と下降位置とに上下動自在に支持され、上昇位置は、ルーバ板の板幅方向を横方向に沿わせた状態でルーバ板が吹出し口内に収まる高さに設定され、下降位置は、ルーバ板の板幅方向を横方向に沿わせた状態でルーバ板が吹出し口の下方に突出する高さに設定されることが望ましい。この場合、ルーバ板を、その板幅方向を横方向に沿わせた状態で、下降位置に下動させれば、吹出し口からの温風をルーバ板により上記所定方向と、これとは反対方向（横方向一方に向かう方向）とに振り分けることができる。従って、浴槽側の壁や天井に温風を十分に届けることができると共に、洗い場側の壁や天井にも温風を十分に届けることができる。また、ルーバ板を上昇位置に上動させた状態で傾動させれば、吹出し口からの送風方向を横方向に変化させることができる。
【００１１】
また、このものにおいて、ルーバ板は、該ルーバ板に立設した支持板部において、傾動及び上下動自在に支持されることが望ましい。これによれば、ルーバ板を上下動させる機構や傾動させる機構がルーバ板より上方で支持板部に連結されることになる。そのため、ルーバ板の下降位置においてこれら機構が吹出し口の下方に露出することを防止でき、体裁が損なわれることはない。
【００１２】
また、本発明においては、可変ルーバを、吹出し口の横方向中央部に位置する前後方向の軸線を支点にして吹出し口の横方向一方の半部を閉塞する閉塞位置から下方に傾動自在な第１ルーバ板と、吹出し口の横方向中央部に位置する前後方向の軸線を支点にして吹出し口の横方向他方の半部を閉塞する閉塞位置から下方に傾動自在な第２ルーバ板とで構成してもよい。これによれば、第２ルーバ板を閉塞位置から小角度下方に傾動させることにより、上記所定方向に温風を送風して、浴槽側の壁や天井に温風を届けることができる。この場合、第１ルーバ板を閉塞位置に保持しておけば、上記所定方向に向かう温風の風速を速めて、浴槽側の壁や天井に効率良く温風を届けることができる。また、第１ルーバ板を閉塞位置から下方に傾動させれば、送風方向を上記所定方向とは反対方向と下向き方向との間で横方向に変化させることができる。
【図面の簡単な説明】
【００１３】
【図１】本発明の実施形態の浴室暖房乾燥機を設置した浴室を示す模式図。
【図２】本発明の第１実施形態の浴室暖房乾燥機の断面図。
【図３】第１実施形態の浴室暖房乾燥機に設けた可変ルーバの斜視図。
【図４】図３の可変ルーバの動きと送風方向との関係を示す説明図。
【図５】第２実施形態の浴室暖房乾燥機の可変ルーバ部分の断面図。
【発明を実施するための形態】
【００１４】
図１を参照して、ＢＲは浴槽ＢＲａを設置した浴室を示しており、浴槽ＢＲａが設置されていない浴室ＢＲの部分は洗い場ＢＲｂになっている。浴室ＢＲの天井部ＢＲｃには、浴槽ＢＲａの上方に位置させて浴室暖房乾燥機１が設置されている。以下、浴室ＢＲの洗い場ＢＲｂ側を横方向一方、浴槽ＢＲａ側を横方向他方、横方向に直交する水平方向を前後方向として、浴室暖房乾燥機１について説明する。
【００１５】
浴室暖房乾燥機１は、図２に示す如く、天井部ＢＲｃに開設した開口を通して天井裏に挿入される箱形の機体２と、機体２の下面を覆う下面カバー３とを備えている。下面カバー３には、吸込み口４が開設されると共に、吸込み口４の横方向一方に隣接する一個所に位置させて、前後方向に長手の吹出し口５が開設されている。
【００１６】
機体２内には、吸込み口４と吹出し口５とを結ぶ通風路６が画成されており、この通風路６に、加熱手段７と循環ファン８とが配置されている。そして、循環ファン８の作動により吸込み口４から吸込まれた浴室ＢＲ内の空気を加熱手段７で加熱し、温風として吹出し口５から浴室ＢＲ内に送風するようにしている。加熱手段７は、図外の熱源機で加熱された温水を循環させる放熱器で構成されている。
【００１７】
また、循環ファン８と吹出し口５との間の通風路６の部分に臨ませて、正イオン及び負イオンを同時に発生するイオン発生器９が設けられている。そして、これら正イオンと負イオンの化学反応により生成される過酸化水素水や水酸化ラジカルにより空気中に浮遊するカビ等の菌類を殺菌できるようにしている。また、浴室暖房乾燥機１は、図示しないが、吸込み口４から吸込まれた空気を屋外に排気する換気ファンを備えている。
【００１８】
浴室暖房乾燥機１は、図外のリモコンの操作により浴室ＢＲの暖房運転と、涼風運転と、乾燥運転とを行う。暖房運転では、加熱手段７と循環ファン８とを作動させて、温風を吹出し口５から浴室ＢＲ内に送風し、涼風運転では、加熱手段７を作動させずに循環ファン８を作動させて、涼風を吹出し口５から浴室ＢＲ内に送風する。また、乾燥運転では、加熱手段７と循環ファン８と換気ファンとを作動させて、浴室ＢＲを換気しつつ温風を吹出し口５から浴室ＢＲ内に送風し、更に、イオン発生器９を作動させて、カビの発生を抑制する。
【００１９】
浴室暖房乾燥機１は、更に、吹出し口５からの送風方向を横方向に変化させる可変ルーバ１０を備えている。可変ルーバ１０は、下面カバー３に沿って横方向他方に向かう方向（略水平に横方向他方に向かう方向）にも送風可能な構造に構成されている。以下、可変ルーバ１０について、図２、図３を参照して説明する。
【００２０】
可変ルーバ１０は、前後方向に長手の１枚のルーバ板１１を有している。ルーバ板１１には、その前後両端の近傍から立ち上がる支持板部１１ａが立設されている。そして、ルーバ板１１を、支持板部１１ａにおいて、前後方向の軸線回りに傾動自在に、且つ、図２に仮想線で示す上昇位置と同図に実線で示す下降位置とに上下動自在に支持している。この上昇位置は、ルーバ板１１の板幅方向を横方向に沿わせた状態でルーバ板１１が吹出し口５内に収まる高さに設定され、下降位置は、ルーバ板１１の板幅方向を横方向に沿わせた状態でルーバ板１１が吹出し口５の下方に突出する高さに設定される。
【００２１】
より具体的には、吹出し口５の直上部の枠体５ａ内に、一対の支持板部１１ａの上部に固定した前後方向の軸線を持つ傾動軸１２を軸支する一対の可動体１３を配置して、一方の可動体１３に、傾動軸１２を回転駆動するステッピングモータ等から成る傾動用駆動源１４を搭載している。各可動体１３には、上方にのびるガイドロッド１３ａが設けられており、枠体５ａに立設したガイドスリーブ５ｂにガイドロッド１３ａを挿通して、各可動体１３を上下動自在に支持している。そして、ステッピングモータ等から成る上下動用駆動源１５により上下に揺動される揺動アーム１６を設け、この揺動アーム１６の自由端に形成した長孔１６ａに一方の可動体１３に固定したピン１３ｂを係合させている。この構造では、傾動用駆動源１４で傾動軸１２を回転させることにより、ルーバ板１１が傾動軸１２の前後方向の軸線回りに傾動し、上下動用駆動源１５で揺動アーム１６を揺動させることにより、ルーバ板１１が上昇位置と下降位置とに上下動する。
【００２２】
また、ルーバ板１１を支持板部１１ａにおいて傾動及び上下動自在に支持するため、可動体１３、傾動用駆動源１４及び揺動アーム１６等の傾動用や上下動用の機構の構成部材はルーバ板１１よりも上方に位置することになる。従って、ルーバ板１１を下降位置に下動させた状態で傾動用や上下動用の機構の構成部材が吹出し口５の下方に露出することを防止でき、体裁が損なわれることはない。
【００２３】
図１のＦ１〜Ｆ６は、ルーバ板１１を上昇位置で傾動させたときの送風方向を示している。即ち、ルーバ板１１を、図４（ａ）に示す如く傾動させたときの送風方向はＦ１になり、図４（ｂ）に示す如く傾動させたときの送風方向はＦ２になり、図４（ｃ）に示す如く傾動させたときの送風方向はＦ３になり、図４（ｄ）に示す如く傾動させたときの送風方向はＦ４になり、図４（ｅ）や（ｆ）に示す如く傾動させたときの送風方向はＦ５になり、図４（ｇ）や（ｈ）に示す如く傾動させたときの送風方向はＦ６になる。暖房運転時や涼風運転時は、送風方向をＦ１〜Ｆ６の範囲で自動的に変化させ、或いは、リモコンの操作によりＦ１〜Ｆ６のうちから選択した特定方向に送風する。
【００２４】
ところで、乾燥運転時に送風方向をＦ１の方向にすれば、横方向一方（洗い場ＢＲｂ側）の壁に当たった温風の一部が横方向一方の天井部ＢＲｃに沿って吸込み口４に流れ、横方向一方の天井部ＢＲｃをある程度は乾燥できる。一方、乾燥運転時に送風方向をＦ６の方向にしたときは、横方向他方（浴槽ＢＲａ側）の壁に当たった温風が吸込み口４に向けて直進するように流れ、横方向他方の天井部ＢＲｃに温風が回り込まず、横方向他方の天井部ＢＲｃの乾燥不足を生じ易くなる。
【００２５】
ここで、ルーバ板１１が上昇位置に存するときは、ルーバ板１１をどのように傾動させても、略水平に横方向他方に向かう図１のＦ７の方向や、略水平に横方向一方に向かう図１のＦ８の方向に送風することはできない。一方、ルーバ板１１を、その板幅方向を横方向に沿わせた状態で、下降位置に下動させれば、図４（ｉ）に示す如く、Ｆ７及びＦ８の方向に送風することができる。
【００２６】
そこで、本実施形態では、乾燥運転時に、先ず、Ｆ３の方向に送風するモードで３０分程度の温風送風を行って、洗い場ＢＲｂの床面を乾燥させ、次に、Ｆ１の方向に送風するモードで１５分程度の温風送風を行って、洗い場ＢＲｂ側の壁面を乾燥させ、次に、Ｆ６の方向に送風するモードで１５分程度の温風送風を行って、浴槽ＢＲａ側の壁面を乾燥させ、最後に、ルーバ板１１を下降位置に下動させて、Ｆ７及びＦ８の方向に送風するモードで１５分程度の温風送風を行うようにした。これによれば、Ｆ７の方向への送風で横方向他方の天井部ＢＲｃに温風が十分に届き、横方向他方の天井部ＢＲｃが十分に乾燥される。更に、Ｆ８の方向への送風で横方向一方の天井部ＢＲｃにも温風が十分に届き、横方向一方の天井部ＢＲｃも十分に乾燥される。
【００２７】
また、ルーバ板１１を下降位置で傾動させ、浴槽ＢＲａ側や洗い場ＢＲｂ側の天井部ＢＲｃに加えて浴槽ＢＲａ側や洗い場ＢＲｂ側の壁面の上部に温風を送風するようにしてもよい。
【００２８】
ところで、Ｆ７は吸込み口４の直下を横切る方向であるため、温風の送風速度が遅いと、温風が横方向他方の天井部ＢＲｃに届く前に吸込み口４に吸込まれてしまう。従って、吹出し口５と下降位置でのルーバ板１１との間の上下方向距離を適切に設定し、Ｆ７の方向への温風の送風速度を速くして、吸込み口４への温風の吸込みを抑制する必要がある。この適切な上下方向距離は２０ｍｍ程度である。
【００２９】
尚、上記第１実施形態では、ルーバ板１１を軸支する可動体１３を揺動アーム１６で上下動させるようにしたが、上下方向に伸縮動作するパンタグラフ式のリンク機構で可動体１３を上下動させるようにしてもよい。また、ルーバ板１１に立設した支持板部１１ａに固定の傾動軸１２を揺動アーム１６に軸支し、傾動用駆動源１４を揺動アーム１６に搭載して、可動体１３を省略することも可能である。
【００３０】
次に、図５に示す可変ルーバ１０の第２実施形態について説明する。第２実施形態では、可変ルーバ１０を、吹出し口５の横方向中央部に位置する前後方向の軸線を持つ傾動軸２０ａを支点にして吹出し口５の横方向一方の半部を閉塞する閉塞位置から下方に傾動自在な第１ルーバ板２０と、吹出し口５の横方向中央部に位置する前後方向の軸線を持つ傾動軸２１ａを支点にして吹出し口５の横方向他方の半部を閉塞する閉塞位置から下方に傾動自在な第２ルーバ板２１とで構成している。尚、第２ルーバ板２１の自由端（横方向他方の端部）は、第２ルーバ板２１を閉塞位置にした状態で斜め上方に傾斜する傾斜部２１ｂに形成されている。
【００３１】
暖房運転時や涼風運転時には、第１ルーバ板２０の下方への傾動角度を調節することで、送風方向を図１のＦ１〜Ｆ４の範囲で変化させると共に、第２ルーバ板２１の下方への傾動角度を調節することで、送風方向を図１のＦ５〜Ｆ６の範囲で変化させる。
【００３２】
また、乾燥運転時に図１のＦ７の方向に温風を送風する場合は、第１ルーバ板２０を閉塞位置に保持した状態で、第２ルーバ板２１を、図５に仮想線で示す如く、傾斜部２１ｂが水平になるように小角度傾動させる。これによれば、温風がＦ７の方向に送風されると共に、第１ルーバ板２０の閉塞でＦ７方向への風速が速められて、吸込み口４への温風の吸込みが抑制される。従って、横方向他方の天井部ＢＲｃに温風が十分に届き、横方向他方の天井部ＢＲｃが十分に乾燥される。
【００３３】
尚、第１ルーバ板２０の自由端に、第２ルーバ板２１と同様の傾斜部を形成することも考えられるが、傾斜部により乱流を生じて、暖房運転時に特に必要なＦ３やＦ４の方向への送風性能が悪くなるため、第１ルーバ板２０には傾斜部を形成していない。この場合、第１ルーバ板２０を閉塞位置から下方に小角度傾動させても、送風方向はＦ８より下方に傾斜した方向になり、横方向一方の天井部ＢＲｃに直接温風を届けることはできない。然し、上述したように横方向一方の壁に当たった温風の一部が横方向一方の天井部ＢＲｃに沿って吸込み口４に流れるため、横方向一方の天井部ＢＲｃの乾燥不足を生ずることはない。
【００３４】
以上、本発明の実施形態について図面を参照して説明したが、本発明はこれに限定されない。例えば、上記実施形態では、加熱手段７を放熱器で構成しているが、電気ヒータで加熱手段７を構成することも可能である。また、上記実施形態では、乾燥運転時にＦ７及びＦ８の方向に送風するモードを自動的に実行するようにしているが、リモコンの操作でＦ７及びＦ８の方向に送風するモードを選択できるようにしてもよい。また、乾燥運転モードとして、加熱手段７を作動させずに涼風を吹出し口５から送風する省エネモードを選択できるようにしてもよい。
【符号の説明】
【００３５】
ＢＲ…浴室、ＢＲａ…浴槽、ＢＲｂ…洗い場、ＢＲｃ…天井部、１…浴室暖房乾燥機、２…機体、３…下面カバー、５…吹出し口、１０…可変ルーバ、１１…ルーバ板、１１ａ…支持板部、２０…第１ルーバ板、２１…第２ルーバ板。
【図１】
2011027310.tif 000003
【図２】
2011027310.tif 000004
【図３】
2011027310.tif 000005
【図４】
2011027310.tif 000006
【図５】
2011027310.tif 000007